(57)【特許請求の範囲】
【請求項１】
無線通信を行っている通信相手の属性情報を検出する検出手段と、
前記通信相手にデータを送信する送信手段と、
前記送信手段によるデータ送信が終了する前に前記無線通信が切断されると、前記検出手段により検出した属性情報に応じた画面を表示する表示手段と、
を有することを特徴とする無線通信装置。
【請求項２】
前記無線通信は、非接触ＩＣカード通信であることを特徴とする請求項１に記載の無線通信装置。
【請求項３】
前記送信手段は、無線通信装置の動作モードに応じて、前記通信相手に送信するデータを選択する選択手段を有することを特徴とする請求項１又は２に記載の無線通信装置。
【請求項４】
前記通信相手との通信時間を計測する計測手段を更に有し、
前記表示手段は、前記送信手段によるデータ送信が終了する前に前記無線通信が切断された際の前記計測手段の計測結果に応じて、前記属性情報に応じた画面を表示することを特徴とする請求項１乃至３何れか１項に記載の無線通信装置。
【請求項５】
前記通信相手との通信時間を計測する計測手段と、
前記送信手段によるデータ送信が終了する前に前記無線通信が切断された際の前記計測手段の計測結果に応じて、前記無線通信のエラーを判定する判定手段と、
を更に有することを特徴とする請求項１乃至３何れか１項に記載の無線通信装置。
【請求項６】
前記判定手段による判定に応じて、エラーを通知する通知手段を更に有することを特徴とする請求項５に記載の無線通信装置。
【請求項７】
前記表示手段は、前記通信相手をリモートコントロールする際の操作画面を表示することを特徴とする請求項１乃至６何れか１項に記載の無線通信装置。
【請求項８】
ユーザによる前記操作画面に基づく操作情報を、前記無線通信とは異なる通信方式を用いて前記通信相手に送信するコントロール手段を更に有することを特徴とする請求項７に記載の無線通信装置。
【請求項９】
無線通信装置における無線通信方法であって、
無線通信を行っている通信相手の属性情報を検出する検出ステップと、
通信相手にデータを送信する送信ステップと、
前記送信ステップにおけるデータ送信が終了する前に前記通信相手との無線通信が切断されると、前記検出ステップにより検出した属性情報に応じた画面を表示する表示ステップと、
を含むことを特徴とする無線通信方法。
【発明の詳細な説明】
【技術分野】
【０００１】
本発明は、無線通信装置及び無線通信方法に関する。
【背景技術】
【０００２】
無線通信には様々な方式があり、通信距離という観点で言うと、数十Ｋｍ離れても通信できるものから数十ｃｍ程度しか通信できないものまで存在する。
【０００３】
通信距離が短い無線通信の一つとして、非接触ＩＣカード通信がある。非接触ＩＣカード通信は、ＩＣカードとリーダ／ライタの間を無線通信で行うもので、ＩＣカード若しくはリーダライタを限定したい等の理由から通信距離は数十ｃｍと短くなっている。現在実施されている非接触ＩＣカード通信には、ＩＳＯ／ＩＥＣ１４４４３で規定されているタイプと、ＮＦＣ（Ｎｅａｒ  Ｆｉｅｌｄ  Ｃｏｍｍｕｎｉｃａｔｉｏｎ）として標準化されＩＳＯ／ＩＥＣ１８０９２として承認されているタイプがある。
【０００４】
非接触ＩＣカード通信の通信距離は数十ｃｍ程度であり、基本的にリーダライタ側しか電磁波を発生しないので以下の特徴がある。
１．  通信距離が短いので通信相手を限定しやすい。
２．  通信の範囲があまり環境に左右されず、ＩＣカード側とリーダライタ側とを近づけるという分かりやすい方法で通信の開始が行える。
３．  通信距離が短いので通信内容を傍受される可能性が少ない。
４．  ＩＣカード側は電力が不要なのでバッテリーセービングができる。
【０００５】
このような特徴を生かして、最近では非接触ＩＣカード通信をＩＣカードだけでなく電子機器に搭載しようという動きがある。上述のＮＦＣに関しては２００４年１月にＥＣＭＡよりＷｈｉｔｅ  Ｐａｐｅｒがリリースされ、例えばＰＤＡ、テレビ、携帯電話、ノートＰＣ等の機器間相互通信に用いる提案がなされている。
１．  ＰＤＡで静止画像を撮影し、ＰＤＡをテレビに近づけることによって非接触ＩＣカード通信を用いて静止画像をＰＤＡからテレビに送信して、テレビで表示する。
２．  撮像装置付き電子ペットが撮影した画像を、ＰＤＡを電子ペットに近づけることによって非接触ＩＣカード通信を用いて画像を電子ペットからＰＤＡに送信してＰＤＡで見る。
３．  ノートＰＣとディスクトップＰＣを近づけて非接触ＩＣカード通信を行い、Ｂｌｕｅｔｏｏｔｈパラメータの交換と秘密鍵生成を行う。
【０００６】
ＮＦＣのＷｈｉｔｅ  Ｐａｐｅｒの提案にもある通り、非接触ＩＣカード通信の特徴を生かして非接触ＩＣカード通信を機器に適用した場合には以下のような使用方法がある。
１．  画像ファイルの転送を行う。
「転送先の機器の指定」と「転送の開始」とが機器を近づけるだけで行えるので、ユーザにとっての操作性が非常に向上する。
２．  機器に応じた画面表示を行う。
携帯電話をテレビに近づけるとテレビのリモコンの画面になり、プリンタに近づけるとプリンタのリモコン画面になり、携帯電話のリモコン利用時の操作性を良くする。
【０００７】
【特許文献１】特開平１１−３０８５８９号公報
【特許文献２】特開平０６−１４１２１６号公報
【特許文献３】特開２００４−２０７８９８号公報
【発明の開示】
【発明が解決しようとする課題】
【０００８】
しかしながら、「画像ファイルの転送を行う」場合も、「機器に応じた画面表示を行う」場合も、機器同士を近づけるという行為で動作が行われる。従って、機器同士を近づけた場合は「画像ファイルの転送を行う」か、又は「機器に応じた画面表示を行う」かの何れかの機能しか実現できないという問題がある。また、どちらかの機能を簡単に選択できないという問題がある。即ち、非接触ＩＣカード通信の特徴が生かしきれない問題があった。
【０００９】
本発明は上記の点に鑑みなされたもので、ユーザにとってわかりやすく簡単な操作で機器の動作の区別を可能にすることを目的とする。
【課題を解決するための手段】
【００１０】
そこで、上記問題を解決するため、本発明は、通信相手へのデータ送信が終了する前に無線通信が切断されると、通信相手の属性情報に応じた画面を表示するようにした。
【発明の効果】
【００１１】
本発明によれば、ユーザにとってわかりやすく簡単な操作で機器の動作の区別を可能にすることができる。
【発明を実施するための最良の形態】
【００１２】
以下、本発明の実施例について図面に基づいて説明する。
【実施例１】
【００１３】
図１は、実施例１における無線通信システムのブロック図である。図１に示されるように、無線通信システムは、携帯電話１０１と、ディスプレイ２０１とを含む。
【００１４】
１０２は携帯電話制御部である。１０３は非接触ＩＣカード通信のＩＣカード側通信の制御を行うＩＣカード側制御部である。１０４は非接触ＩＣカード通信を行う為のアンテナである。１０５は携帯電話表示器である。１０６は画像ファイル等を格納するメモリである。１０７は確認音（例えば「ピッ」）や送信完了音（例えば「ピピッー」）を鳴らすためのスピーカである。１０８は携帯電話への入力を行うキーである。なお、携帯電話制御部１０２、ＩＣカード側制御部１０３は、ＲＯＭ、ＲＡＭ等のメモリ（図示せず）に記憶されているプログラムに従って上述する各種制御を実行する。
【００１５】
２０２は表示制御を行うディスプレイ制御部である。２０３は非接触ＩＣカード通信のリーダ／ライタ側通信の制御を行うリーダ／ライタ側制御部である。２０４は非接触ＩＣカード通信を行う為のアンテナである。２０５はディスプレイ制御部の制御により各種表示を行うディスプレイ表示部である。なお、ディスプレイ制御部２０２、リーダ／ライタ側制御部２０３は、ＲＯＭ、ＲＡＭ等のメモリ（図示せず）に記憶されているプログラムに従って上述する各種制御を実行する。
【００１６】
図２は、実施例１における携帯電話１０１の動作を示すフローチャートである。また、図３は、実施例１におけるファイル送信中に通信が切断した場合の携帯電話１０１とディスプレイ１０２との間のシーケンス図である。また、図４は、実施例１におけるファイル送信が完了した場合の携帯電話１０１とディスプレイ１０２との間のシーケンス図である。以下、図１のブロック図、図２のフローチャート、図３のシーケンス図、図４のシーケンス図を基に、実施例１について説明する。
【００１７】
携帯電話１０１とディスプレイ２０１とは非接触ＩＣカード通信によって通信することができる。本実施例においては、携帯電話１０１がＩＣカード側で、ディスプレイ２０１がリーダ／ライタ側の機能を持つ。携帯電話１０１をディスプレイ２０１の数十ｃｍ以内に近づけることによって非接触ＩＣカード通信を用いて携帯電話１０１とディスプレイ２０１との間で通信することが可能となる。
【００１８】
上述したように、本実施例においてディスプレイ２０１が非接触ＩＣカード通信のリーダ／ライタ側となっており、ＩＣカード側の機能を備えている機器が近づいた時にいつでも通信ができるようにリーダ／ライタ側制御部２０２は常に電磁波を出している。
【００１９】
携帯電話１０１のユーザが「撮影した画像ファイルをディスプレイに表示させる」若しくは「ディスプレイのリモコン画面を携帯電話に表示させる」のいずれかの動作をさせようとした場合、ユーザは携帯電話１０１をディスプレイ２０１に近づける。
【００２０】
携帯電話１０１のＩＣカード側制御部１０３ではアンテナ１０４を介して電磁波を検出しており、ユーザが携帯電話１０１をアンテナ２０４の数十ｃｍ以内に近づけると、アンテナ２０４が出す電磁波によって非接触ＩＣカード通信が行われる。
【００２１】
非接触ＩＣカード通信が開始されると、ディスプレイ２０１は、「ディスプレイ」を示す属性情報（Ｍ３０１）を携帯電話１０１に対して送信する。
【００２２】
携帯電話１０１は、非接触ＩＣカード通信が開始されると（Ｓ２０２）、属性情報（Ｍ３０１）の受信を待つ（Ｓ２０３）。属性情報（Ｍ３０１）を受信すると受信した属性情報を、例えば携帯電話メモリ１０６に記憶した後、自端末の属性情報（Ｍ３０２）をディスプレイ２０１に対して送信し（Ｓ２０４）、確認音をスピーカ１０７より鳴動させる（Ｓ２０５）。この後、携帯電話１０１はディスプレイ２０１に対して画像ファイルの送信開始メッセージ（Ｍ３０３）を送信して画像ファイルの送信を行う（Ｓ２０６、Ｍ３０４）。
【００２３】
ユーザが「撮影した画像ファイルをディスプレイに表示させる」という意図を持って携帯電話１０１をディスプレイに近づけた場合は送信が完了するまで携帯電話１０１をディスプレイ２０１に近づけたままにする。ユーザが「ディスプレイのリモコン画面を携帯電話に表示させる」という意図を持って携帯電話１０１をディスプレイに近づけた場合は確認音が鳴動した後に携帯電話１０１をディスプレイ２０１から離す。このようなユーザの意図を反映させるには携帯電話１０１は画像ファイルの送信開始後に以下の動作を行う。
【００２４】
携帯電話１０１は、画像ファイルの送信完了を監視しており（Ｓ２０７）、画像ファイルの送信が完了した場合は送信完了音を鳴動して（Ｓ２０８）、通信切断処理を行い（Ｓ２０９）、通信を終了する（Ｓ２１２）。携帯電話１０１は、画像ファイルの送信が完了するまでに通信が切断したかどうかを監視しており（Ｓ２１０）、通信が切断した場合は、属性情報に応じた画面を携帯電話表示器１０５に表示する（Ｓ２１１、図４）。実施例１では受信した属性情報は「ディスプレイ」なので、図５のようなディスプレイ用のリモコン画面が携帯電話表示器１０５に表示される。
【００２５】
なお、ユーザが確認音を聞いてから即座に携帯電話１０１をディスプレイ２０１から離したとき等、画像ファイルの送信が開始する（Ｓ２０６）よりも前に、携帯電話１０１が通信の切断を検出する場合もある。このような場合も携帯電話１０１は、属性情報に応じた画面を携帯電話表示器１０５に表示する（Ｓ２１１）。
【００２６】
ディスプレイ２０１では、画像ファイルの受信が完了した場合には、受信した画像ファイルをデコードしてディスプレイ表示部２０５に表示する。
【００２７】
実施例１において、送信するファイルを指定する操作は記載していないが、携帯電話１０１の操作によって予め送信するファイルを指定する以外になるべく携帯電話１０１の操作を簡略化させる目的で以下の方法が挙げられる。
１．  携帯電話１０１に格納されている全ての静止画像／動画像ファイルを送信する。
２．  携帯電話１０１の待ち受け画面の静止画像ファイルを送信する。
３．  カメラ付きの携帯電話１０１の場合、最後に撮影を行った静止画像／動画像ファイルを送信する。
４．  携帯電話１０１の携帯電話表示器１０５に表示されている静止画像ファイルを送信する。
【００２８】
これら、１．から４．の方法は、携帯電話１０１のモードに応じて、携帯電話１０１が変えてもよい。例えば、携帯電話１０１は、待ち受けモードの場合は、待ち受け画面の静止画像ファイルを送信する。再生モードの場合は、携帯電話表示器１０５に表示されている静止画像／動画像ファイルを送信する。また、撮影モードの場合は、携帯電話１０１は、最後に撮影を行った静止画像／動画像ファイルを送信する。なお、撮影モードの場合は、携帯電話１０１は、現在撮影中の動画像をリアルタイムで送信してもよい。
【００２９】
実施例１では、携帯電話１０１側がＩＣカード側の機能を備えており、ディスプレイ２０１がリーダ／ライタ側の機能を備えていることを前提とした。しかし、携帯電話１０１側がリーダ／ライタ側の機能を、ディスプレイ２０１がＩＣカード側の機能を備えていているようにしてもよい。この場合、通信の開始と属性情報の送信がディスプレイ２０１から行われるか携帯電話１０１から行われるかが異なるが他の処理は実施例１と同様となる。
【００３０】
実施例１によれば、ユーザが「ディスプレイのリモコン画面を携帯電話に表示させる」場合は、携帯電話１０１をディスプレイ２０１に近づけた後にすぐに離す。また、「撮影した画像ファイルをディスプレイに表示させる」場合は、携帯電話１０１をディスプレイ２０１に近づけた後ディスプレイに表示されるまで近づけておく。といったユーザにとってわかりやすく簡単な操作で「画像ファイルの転送」と「機器に応じた画面表示」との両方の機能を実現することができる。
【実施例２】
【００３１】
図６は、実施例２における携帯電話１０１の動作を示すフローチャートである。また、図７は、実施例２における一定時間タイマがタイムアウトした後に通信が切断した場合の携帯電話１０１とディスプレイ１０２との間のシーケンス図である。
以下、図１のブロック図、図６のフローチャート、図７のシーケンス図を基に、実施例２について説明する。
【００３２】
携帯端末１０１とディスプレイ２０１との非接触ＩＣカード通信による通信開始から、携帯電話１０１が自端末の属性情報（Ｍ３０２）をディスプレイ２０１に送信する（Ｓ２０４）までは実施例１と同様である。
【００３３】
この後、携帯電話１０１は一定時間タイマを開始すると共に（Ｓ６０１）、確認音をスピーカ１０７より鳴動する（Ｓ２０５）。また、携帯電話１０１はディスプレイ２０１に対して画像ファイルの送信開始メッセージ（Ｍ３０３）を送信して画像ファイルの送信を行う（Ｓ２０６、Ｍ３０４）。
【００３４】
ユーザが「撮影した画像ファイルをディスプレイに表示させる」という意図を持って携帯電話１０１をディスプレイに近づけた場合は送信が完了するまで携帯電話１０１をディスプレイ２０１に近づけたままにする。ユーザが「ディスプレイのリモコン画面を携帯電話に表示させる」という意図を持って携帯電話１０１をディスプレイに近づけた場合は確認音が鳴動した後に携帯電話１０１をディスプレイ２０１から離す。確認音が鳴動してから携帯電話１０１をディスプレイ２０１から離すまでの時間は２秒位あれば充分である。従って、２秒以上の期間において携帯電話１０１とディスプレイ２０１とを近づけていた場合は「撮影した画像ファイルをディスプレイに表示させる」という意図があると、携帯電話１０１は判断できる。よって、前述の一定時間タイマは、２秒程度に設定し、２秒以上経過後に携帯電話１０１とディスプレイ２０１との通信が切断した場合は、エラーが発生したと判定できる。上述のようなユーザの意図を反映させるには携帯電話１０１は画像ファイルの送信開始後に以下の動作を行う。
【００３５】
携帯電話１０１は、画像ファイルの送信完了を監視しており（Ｓ２０７）、画像ファイルの送信が完了した場合は送信完了音を鳴動して（Ｓ２０８）、通信切断処理を行い（Ｓ２０９）、通信を終了する（Ｓ２１２）。この場合、ディスプレイ２０１は、受信した画像を表示する。携帯電話１０１は、画像ファイルの送信が完了するまでは、通信が切断したかどうかを監視している（Ｓ２１０）。画像ファイルの送信が完了する以前に通信が切断した場合は、一定時間タイマがタイムアウト済みかを判断する（Ｓ６０２）。一定時間がタイムアウトしていなければ、属性情報に応じた画面を携帯電話表示器１０５に表示し（Ｓ２１１）、タイムアウト済みであれば（Ｓ６０２）、通信エラーを携帯電話表示器１０５に表示する（Ｓ６０３）。通信エラー表示の例を図８に示す。
【００３６】
実施例２によれば、実施例１と同様の効果を得ることができる。更に、ユーザが画像送信を行おうと意図した場合に通信エラーが起きた場合でも、携帯電話表示器１０５にディスプレイ２０１のリモコン画面ではなく通信エラーが表示されるので（図８）、ユーザは現在の状況を正確に理解することができる。
【実施例３】
【００３７】
実施例３は実施例１、実施例２においてディスプレイのリモコン表示を行った後に実際に非接触ＩＣカード通信以外の無線通信方法を利用してディスプレイをコントロールする実施例である。
【００３８】
図９は、実施例３における無線通信システムのブロック図である。９０１は赤外線送信部、９０２は赤外線受信部である。他の構成は図１と同様である。図９に示されるように、赤外線送信部９０１は携帯電話１０１に備えられており、赤外線受信部９０２はディスプレイ２０１に備えられている。携帯電話１０１の赤外線送信部９０１からディスプレイ２０１の赤外線受信部９０２にコントロールのコードを送信することによって携帯電話１０１からディスプレイ２０１をリモートコントロール可能になる。
【００３９】
図１０は、実施例３における携帯電話１０１の動作を示すフローチャートである。図１１は、図１０に示したリモコン動作（Ｓ１００１）の詳細フローチャートである。図１２は、実施例３におけるファイル送信中に通信が切断した場合の携帯電話１０１とディスプレイ２０１との間のシーケンス図である。図１２において、実線の矢印は非接触ＩＣカード通信における送受信を示し、点線の矢印は赤外線通信における送受信を示している。
【００４０】
実施例３では、属性情報に応じた画面を携帯電話表示器１０５に表示する（Ｓ２１１）までは実施例１や、実施例２等と同じである。属性情報に応じた画面、本実施例の場合はディスプレイ２０１のリモコン画面、が表示された後、携帯電話１０１はリモコン動作を行う（Ｓ１００１）。
【００４１】
携帯電話１０１は、キー１０８が入力された場合（Ｓ１１０３）、キーがリモコン終了キーでなければ（Ｓ１１０４）、キー情報（Ｍ１２０１）を、赤外線通信を介してディスプレイ２０１に送信する（Ｓ１１０４）。携帯電話１０１は、キー１０８がリモコン終了キーの場合はリモコン動作を終了する（Ｓ１１０５）。ディスプレイ２０１は、携帯電話１０１から送信されたキー情報（Ｍ１２０１）に従って、テレビ番組のチャネル切替え、音量の調整等の制御を行う。
【００４２】
実施例３においては、リモコン情報を送信する通信方式は赤外線を用いて説明を行った。しかし、リモコン情報を送信する通信方式は赤外線通信に限らずＢｌｕｅｔｏｏｔｈや、無線ＬＡＮのアドホックモード、ＵＷＢ（Ｕｌｔｒａ  Ｗｉｄｅ  Ｂａｎｄ）等の無線通信を用いてもよい。
【００４３】
実施例３に示したような処理を実行することによって、実施例１、実施例２と同様の効果を得ることができる上に、携帯電話１０１からディスプレイ２０１のリモコン操作が可能になる。
【実施例４】
【００４４】
実施例１、実施例２、実施例３では携帯電話１０１とディスプレイ２０１とから構成されるシステムについて言及したが、他の機器で構成されたシステムにも本発明は適用することができる。他の機器で構成されたシステムを以下に列挙する。
１．  携帯電話−プリンタ
２．  デジタルカメラ（スチル／ビデオ）−プリンタ
３．  デジタルカメラ（スチル／ビデオ）−ディスプレイ
４．  携帯電話−デジタルカメラ（スチル／ビデオ）
５．  携帯電話−携帯電話
６．  デジタルカメラ（スチル／ビデオ）−デジタルカメラ（スチル／ビデオ）
【００４５】
以上の各システムにおいて、実施例１、実施例２、実施例３を適用した場合の動作を以下に述べる。
【００４６】
１．  携帯電話−プリンタ
携帯電話をプリンタに近づけることによって非接触ＩＣカード通信を介して静止画像ファイルが携帯電話からプリンタに送信され静止画像ファイルがプリンタで印刷される。
静止画像ファイルの送信が完了する以前に通信が切断した場合はプリンタの設定メニューが携帯電話の表示器に表示される。
送信する静止画像ファイルの選択に関しては以下の方法がある。
１−１．  携帯電話に格納されているすべての静止画像ファイルを送信する。
１−２．  携帯電話の待ち受け画面の静止画像ファイルを送信する。
１−３．  カメラ付きの携帯電話の場合最後に撮影を行った静止画像ファイルを送信する。
１−４．  携帯電話の表示器に表示されている静止画像ファイルを送信する。
【００４７】
これら、１−１．から１−４．の方法は、携帯電話のモードに応じて、携帯電話が変えてもよい。例えば、待ち受けモードの場合は、携帯電話は、待ち受け画面の静止画像ファイルを送信する。再生モードの場合は、携帯電話は、携帯電話表示器に表示されている静止画像ファイルを送信する。撮影モードの場合は、携帯電話は、最後に撮影を行った静止画像ファイルを送信する。
【００４８】
２．  デジタルカメラ（スチル／ビデオ）−プリンタ
デジタルカメラをプリンタに近づけることによって非接触ＩＣカード通信を介して静止画像ファイルがデジタルカメラからプリンタに送信され画像ファイルがプリンタで印刷される。
静止画像ファイルの送信が完了する以前に通信が切断した場合はプリンタの設定メニューがデジタルカメラの表示器に表示される。
送信する静止画像ファイルの選択に関しては以下の方法がある。
２−１．  デジタルカメラに格納されているすべての静止画像ファイルを送信する。
２−２．  最後に撮影を行った静止画像ファイルを送信する。
２−３．  デジタルカメラの表示器に表示されている静止画像ファイルを送信する。
【００４９】
これら、２−１．から２−３．の方法は、デジタルカメラのモードに応じて、デジタルカメラが変えてもよい。例えば、再生モードの場合は、デジタルカメラは、現在デジタルカメラの表示器に表示されている静止画像ファイルを送信する。撮影モードの場合は、デジタルカメラは、最後に撮影を行った静止画像ファイルを送信する。
【００５０】
３．  デジタルカメラ（スチル／ビデオ）−ディスプレイ
デジタルカメラをディスプレイに近づけることによって非接触ＩＣカード通信を介して静止画像／動画像ファイルがデジタルカメラからディスプレイに送信され静止画像／動画像ファイルがディスプレイに表示される。
静止画像／動画像ファイルの送信が完了する以前に通信が切断した場合はディスプレイの設定メニュー若しくはディスプレイのリモコン画面がデジタルカメラの表示器に表示される。
送信される静止画像／動画像ファイルの選択に関しては以下の方法がある。
３−１．  デジタルカメラに格納されているすべての静止画像ファイルを送信する。
３−２．  最後に撮影を行った静止画像／動画像ファイルを送信する。
３−３．  デジタルカメラの表示器に表示されている静止画像／動画像ファイルを送信する。
【００５１】
これら、３−１．から３−３．の方法は、デジタルカメラのモードに応じて、デジタルカメラが変えてもよい。例えば、再生モードの場合は、デジタルカメラは、現在デジタルカメラの表示器に表示されている静止画像／動画像ファイルを送信する。撮影モードの場合は、デジタルカメラは、最後に撮影を行った静止画像／動画像ファイルを送信する。なお、撮影モードの場合は、デジタルカメラは、撮影中の動画像をリアルタイムで送信してもよい。
【００５２】
４．  携帯電話−デジタルカメラ（スチル／ビデオ）
携帯電話をデジタルカメラに近づけることによって非接触ＩＣカード通信を介して静止画像／動画像ファイルが携帯電話からデジタルカメラに送信されてデジタルカメラに格納される。若しくは静止画像／動画像ファイルがデジタルカメラから携帯電話に送信されて携帯電話に格納される。
静止画像／動画像ファイルの送信が完了する以前に通信が切断した場合はデジタルカメラの設定メニュー若しくはリモコン画面が携帯電話の表示器に表示される。
携帯電話からデジタルカメラに送信する場合に送信する静止画像／動画像ファイルの選択に関しては以下の方法がある。
４−１−１．  携帯電話に格納されているすべての静止画像／動画像ファイルを送信する。
４−１−２．  携帯電話の待ち受け画面の静止画像ファイルを送信する。
４−１−３．  カメラ付きの携帯電話の場合最後に撮影を行った静止画像／動画像ファイルを送信する。
４−１−４．  携帯電話の表示器に表示されている静止画像／動画像ファイルを送信する。
【００５３】
これら、４−１−１．から４−１−４．の方法は、携帯電話のモードに応じて、携帯電話が変えてもよい。例えば、待ち受けモードの場合は、携帯電話は、待ち受け画面の静止画像ファイル／動画像ファイルを送信する。再生モードの場合は、携帯電話は、携帯電話の表示器に表示されている静止画像ファイル／動画像ファイルを送信する。撮影モードの場合は、携帯電話は、最後に撮影を行った静止画像ファイル／動画像ファイルを送信する。
【００５４】
また、デジタルカメラから携帯電話に送信する場合に送信する静止画像／動画像ファイルの選択に関しては以下の方法がある。
４−２−１．  デジタルカメラに格納されているすべての静止画像ファイルを送信する。
４−２−２．  最後に撮影を行った静止画像／動画像ファイルを送信する。
４−２−３．  デジタルカメラの表示器に表示されている静止画像／動画像ファイルを送信する。
【００５５】
これら、４−２−１．から４−２−２．の方法は、デジタルカメラのモードに応じて、デジタルカメラが変えてもよい。例えば、待ち受けモードの場合は、デジタルカメラは、待ち受け画面の静止画像ファイル／動画像ファイルを送信する。再生モードの場合は、デジタルカメラは、デジタルカメラの表示器に表示されている静止画像ファイル／動画像ファイルを送信する。撮影モードの場合は、デジタルカメラは、最後に撮影を行った静止画像ファイル／動画像ファイルを送信する。
【００５６】
また、携帯電話が再生モードで、デジタルカメラが通常モードの場合は、携帯電話からデジタルカメラに携帯電話が表示している静止画像／動画像ファイルを送信する。デジタルカメラが再生モードで、携帯電話が待ち受けモードの場合は、デジタルカメラから携帯電話にデジタルカメラが表示している静止画像／動画像ファイルを送信する。など、携帯電話とデジタルカメラとのモードに合わせて送信元・送信先を決定するといった方法もある。
【００５７】
実施例４に示したような処理を実行することによって携帯電話、デジタルカメラ、プリンタ、ディスプレイの様々な組み合わせにおいても、実施例１、実施例２、実施例３と同様の効果を得ることができる。
以上のように上記説明によれば、無線通信装置同士を近づける時間が長いか短いかという、ユーザにとって分かりやすく簡単な操作で、「無線通信装置（の属性情報）に応じた画面表示」と、「画像ファイルの転送」との両方の機能を提供することができる。よって、近距離無線通信の特徴を生かしつつ、ユーザにとってわかりやすく簡単な操作で機器の動作の区別を可能にすることができる。
【００５８】
以上、本発明の好ましい実施例について詳述したが、本発明は係る特定の実施例に限定されるものではなく、特許請求の範囲に記載された本発明の要旨の範囲内において、種々の変形・変更が可能である。
【図面の簡単な説明】
【００５９】
【図１】図１は、実施例１における無線通信システムのブロック図である。
【図２】図２は、実施例１における携帯電話１０１の動作を示すフローチャートである。
【図３】図３は、実施例１におけるファイル送信中に通信が切断した場合の携帯電話１０１とディスプレイ１０２との間のシーケンス図である。
【図４】図４は、実施例１におけるファイル送信が完了した場合の携帯電話１０１とディスプレイ１０２との間のシーケンス図である。
【図５】図５は、ディスプレイ用のリモコン画面の一例を示す図である。
【図６】図６は、実施例２における携帯電話１０１の動作を示すフローチャートである。
【図７】図７は、実施例２における一定時間タイマがタイムアウトした後に通信が切断した場合の携帯電話１０１とディスプレイ１０２との間のシーケンス図である。
【図８】図８は、通信エラー表示の一例を示す図である。
【図９】図９は、実施例３における無線通信システムのブロック図である。
【図１０】図１０は、実施例３における携帯電話１０１の動作を示すフローチャートである。
【図１１】図１１は、図１０のフローチャートのリモコン動作の詳細フローチャートである。
【図１２】図１２は、実施例３におけるファイル送信中に通信が切断した場合の携帯電話１０１とディスプレイ１０２との間のシーケンス図である。
【符号の説明】
【００６０】
１０１    携帯電話
１０２    携帯電話制御部
１０３    非接触ＩＣカード通信ＩＣカード側制御部
１０４    アンテナ
１０５    携帯電話表示器
１０６    携帯電話メモリ
１０７    ブザー用スピーカ
１０８    キー
２０１    ディスプレイ
２０２    ディスプレイ制御部
２０３    非接触ＩＣカード通信リーダ／ライタ側制御部
２０４    アンテナ
２０５    ディスプレイ表示部
９０１    赤外線送信部
９０２    赤外線受信部
【図１】
0004834348.tif 000002
【図２】
0004834348.tif 000003
【図３】
0004834348.tif 000004
【図４】
0004834348.tif 000005
【図５】
0004834348.tif 000006
【図６】
0004834348.tif 000007
【図７】
0004834348.tif 000008
【図８】
0004834348.tif 000009
【図９】
0004834348.tif 000010
【図１０】
0004834348.tif 000011
【図１１】
0004834348.tif 000012
【図１２】
0004834348.tif 000013